(57)【特許請求の範囲】
【請求項１】
医用画像撮影ユニットで取得された医用画像を記憶する画像記憶ユニットと、
症例名に対応させて患者ごとの症例関連情報及び前記医用画像の関連情報を情報テーブルとして記憶する情報テーブル記憶ユニットと、
前記症例名に対応して前記情報テーブル記憶ユニットより読み出される患者ごとの症例関連情報及び前記情報テーブルの前記医用画像の関連情報により前記画像記憶ユニットより読み出される医用画像をそれぞれカンファレンス関連情報として収集するカンファレンス情報収集ユニットと、
収集された前記カンファレンス関連情報を表示する表示ユニットと、
表示された前記カンファレンス関連情報に関して、参考情報としての評価の度合い又は特性を示すフィードバック指数を入力するための入力ユニットと、
前記表示された前記カンファレンス関連情報について、ユーザからの入力に応答して追加、変更、修正を行う変更ユニットと、
前記情報テーブル記憶ユニットが記憶する前記情報テーブルに対して、前記カンファレンス関連情報について実行された追加、変更、修正を反映すると共に、前記情報テーブルと入力された前記フィードバック指数とを対応付けて記憶するフィードバックユニットと、
を具備するカンファレンス機能を有する画像診断支援システム。
【請求項２】
前記情報テーブルの前記医用画像の関連情報は、前記医用画像の検索情報及び撮影情報の少なくとも一つである請求項１記載の画像診断支援システム。
【請求項３】
前記フィードバックユニットは、前記カンファレンスの結果に基づく評価情報を前記情報テーブルの各症例名ごとに追加可能とする請求項１又は２記載の画像診断支援システム。
【請求項４】
前記フィードバックユニットは、前記カンファレンスの結果に基づく目的別分類情報を各症例名ごとに追加可能とする請求項１又は２記載の画像診断支援システム。
【請求項５】
前記画像記憶ユニットは、前記医用画像撮影ユニットにより取得された医用画像に関するオブジェクト情報を記憶し、前記患者ごとの症例関連情報は、前記オブジェクト情報に基づくものである請求項１乃至４のうちいずれか一項記載の画像診断支援システム。
【請求項６】
前記オブジェクト情報は、患者情報、撮影情報、診断部分の特徴を表すキー画像情報及び撮影時に参照した過去の検査情報の少なくとも一つである請求項５記載の画像診断支援システム。
【請求項７】
前記カンファレンス情報収集ユニットは、前記フィードバック指数を含む検索条件を用いて、前記カンファレンス関連情報を収集する請求項１乃至６のうちいずれか一項記載の画像診断支援システム。
【請求項８】
医用画像撮影ユニットで取得された医用画像を記憶する画像記憶ユニットと、
症例名に対応させて患者ごとの症例関連情報及び前記医用画像の関連情報を情報テーブルとして記憶する情報テーブル記憶ユニットと、
前記症例名に対応して前記情報テーブル記憶ユニットより読み出される患者ごとの症例関連情報及び前記情報テーブルの前記医用画像の関連情報により前記画像記憶ユニットより読み出される医用画像をそれぞれカンファレンス関連情報として収集するカンファレンス情報収集ユニットと、
前記カンファレンス情報収集ユニットにより収集された情報を表示する表示ユニットと、
この表示ユニットに表示された内容に基づいたカンファレンスの結果を前記情報テーブルにフィードバックするフィードバックユニットと
を具備するカンファレンス機能を有する画像診断支援システム。
【請求項９】
前記情報テーブルの前記医用画像の関連情報は、前記医用画像の検索情報及び撮影情報の少なくとも一つである請求項８記載の画像診断支援システム。
【請求項１０】
前記フィードバックユニットは、前記カンファレンスの結果に基づく評価情報を前記情報テーブルの各症例名ごとに追加可能とする請求項８又は９記載の画像診断支援システム。
【請求項１１】
フィードバックユニットは、前記カンファレンスの結果に基づく目的別分類情報を各症例名ごとに追加可能にしたことを特徴とする請求項８又は９記載の画像診断支援システム。
【請求項１２】
前記画像記憶ユニットは、前記医用画像撮影ユニットにより取得された医用画像に関するオブジェクト情報を記憶し、前記患者ごとの症例関連情報は、前記オブジェクト情報に基づくものである請求項８乃至１１のうちいずれか一項記載の画像診断支援システム。
【請求項１３】
前記オブジェクト情報は、患者情報、撮影情報、診断部分の特徴を表すキー画像情報及び撮影時に参照した過去の検査情報の少なくとも一つである請求項１２記載の画像診断支援システム。
【請求項１４】
コンピュータに、
医用画像撮影ユニットで取得された医用画像を記憶する画像記憶ユニットと、症例名に対応させて患者ごとの症例関連情報及び前記医用画像の関連情報を情報テーブルとして記憶する情報テーブル記憶ユニットと、から、前記症例名に対応して前記情報テーブル記憶ユニットより読み出される患者ごとの症例関連情報及び前記情報テーブルの前記医用画像の関連情報により前記画像記憶ユニットより読み出される医用画像をそれぞれカンファレンス関連情報として収集させる収集機能と、
収集された前記カンファレンス関連情報を表示させる表示機能と、
表示された前記カンファレンス関連情報に関して、参考情報としての評価の度合い又は特性を示すフィードバック指数を入力させる入力機能と、
前記表示された前記カンファレンス関連情報について、ユーザからの入力に応答して追加、変更、修正を実行させる実行機能と、
前記情報テーブル記憶ユニットが記憶する前記情報テーブルに対して、前記カンファレンス関連情報について実行された追加、変更、修正をフィードバックさせると共に、前記情報テーブルと入力された前記フィードバック指数とを対応付けて記憶させるフィードバック機能と、
を実現させることを特徴とする画像診断支援プログラム。
【発明の詳細な説明】
【技術分野】
【０００１】
本発明は、カンファレンス機能を有する画像診断支援システム及び画像診断支援プログラムに関するものである。
【背景技術】
【０００２】
本発明は、カンファレンス機能を有する画像診断支援システム及び画像診断支援プログラムに関するものである。
【０００３】
従来、画像診断支援システムとして、Ｘ線ＣＴ装置や超音波診断装置などの医用画像撮影装置から取得される医用画像を撮影情報や検査情報とともに医用画像保管装置に保管し、この保管した医用画像を医用画像観察装置に読み出してモニターに表示し、このモニター画像を医師が観察して診断を行い、この診断の結果を医用レポートとして残すようにしたものがある。
【０００４】
また、最近の画像診断支援システムには、医用画像保管装置に撮影情報や検査情報とともに保管された医用画像、医用レポートとして残された診断結果などの各種の医療情報を収集し、この収集された医療情報に基づいて複数の医師によるカンファレンスによって患者の診断や治療計画を策定するカンファレンス機能を備えたものもある。
【０００５】
このようなカンファレンス機能の従来技術として、画像データサーバや病院情報システムに保存される画像データや医療情報の中から選択された画像データや医療情報を読み出し、これらをモニターなどに表示してカンファレンスに利用することが開示されている（例えば、特許文献１参照）。
【特許文献１】特開２００５−４３９５１号公報
【発明の開示】
【発明が解決しようとする課題】
【０００６】
ところが、ここで開示されるカンファレンス機能は、保存された画像データや医用情報がカンファレンスの際に参照や検討に利用されているものの、このカンファレンスにより得られた結果を、その後のカンファレンスに利用するような考えはなく、画像データや医用情報が有効に活用されていないという問題があった。
【０００７】
本発明は上記事情に鑑みてなされたもので、過去のカンファレンスに利用した医用画像又はオブジェクト情報を有効に利用してさらに精度の高いカンファレンスを実現するカンファレンス機能を有する画像診断支援システム等を提供することを目的とする。
【課題を解決するための手段】
【０００８】
本発明は、上記目的を達成するため、次のような手段を講じている。
【０００９】
請求項１に記載の発明は、医用画像撮影ユニットで取得された医用画像を記憶する画像記憶ユニットと、症例名に対応させて患者ごとの症例関連情報及び前記医用画像の関連情報を情報テーブルとして記憶する情報テーブル記憶ユニットと、前記症例名に対応して前記情報テーブル記憶ユニットより読み出される患者ごとの症例関連情報及び前記情報テーブルの前記医用画像の関連情報により前記画像記憶ユニットより読み出される医用画像をそれぞれカンファレンス関連情報として収集するカンファレンス情報収集ユニットと、収集された前記カンファレンス関連情報を表示する表示ユニットと、表示された前記カンファレンス関連情報に関して、参考情報としての評価の度合い又は特性を示すフィードバック指数を入力するための入力ユニットと、前記表示された前記カンファレンス関連情報について、ユーザからの入力に応答して追加、変更、修正を行う変更ユニットと、前記情報テーブル記憶ユニットが記憶する前記情報テーブルに対して、前記カンファレンス関連情報について実行された追加、変更、修正を反映すると共に、前記情報テーブルと入力された前記フィードバック指数とを対応付けて記憶するフィードバックユニットと、を具備するカンファレンス機能を有する画像診断支援システムである。
【００１０】
請求項１４に記載の発明は、コンピュータに、医用画像撮影ユニットで取得された医用画像を記憶する画像記憶ユニットと、症例名に対応させて患者ごとの症例関連情報及び前記医用画像の関連情報を情報テーブルとして記憶する情報テーブル記憶ユニットと、から、前記症例名に対応して前記情報テーブル記憶ユニットより読み出される患者ごとの症例関連情報及び前記情報テーブルの前記医用画像の関連情報により前記画像記憶ユニットより読み出される医用画像をそれぞれカンファレンス関連情報として収集させる収集機能と、収集された前記カンファレンス関連情報を表示させる表示機能と、表示された前記カンファレンス関連情報に関して、参考情報としての評価の度合い又は特性を示すフィードバック指数を入力させる入力機能と、前記表示された前記カンファレンス関連情報について、ユーザからの入力に応答して追加、変更、修正を実行させる実行機能と、前記情報テーブル記憶ユニットが記憶する前記情報テーブルに対して、前記カンファレンス関連情報について実行された追加、変更、修正をフィードバックさせると共に、前記情報テーブルと入力された前記フィードバック指数とを対応付けて記憶させるフィードバック機能と、を実現させることを特徴とする画像診断支援プログラムである。
【発明の効果】
【００１１】
以上本発明によれば、過去のカンファレンスに利用した医用画像又はオブジェクト情報を有効に利用してさらに精度の高いカンファレンスを実現するカンファレンス機能を有する画像診断支援システム等を実現することができる。
【発明を実施するための最良の形態】
【００１２】
以下、本発明の実施の形態を図面に従い説明する。
【００１３】
（第１の実施の形態）
図１は、本発明の第１の実施の形態に係る画像診断支援システムの概略構成を示している。図１において、１はＬＡＮなどのネットワークで、このネットワーク１には、医用画像撮影装置２、医用画像保管装置３、医用画像観察装置４、医用レポート作成支援システム５が接続されている。この場合、医用画像観察装置４と医用レポート作成支援システム５は、同一の装置内に組み込まれている。
【００１４】
医用画像撮影装置２は、Ｘ線ＣＴ装置や超音波診断装置などを有し、患者の診断部分から収集した医用画像を発生するとともに、該医用画像に関する患者情報、撮影情報（撮影条件、撮影範囲など）、キー画像情報及び参照した過去の検査情報などをオブジェクト情報（医用情報）として生成し発生する。医用画像保管装置３は、医用画像撮影装置２より発生される医用画像及びオブジェクト情報を保管管理する。この医用画像保管装置３には、カンファレンス機能部６が設けられている。このカンファレンス機能部６については後述する。医用画像観察装置４は、不図示のＴＶモニターなどを有し、医用画像保管装置３に保管した医用画像及び医療情報を読み出して表示する。医用レポート作成支援システム５は、医用画像観察装置４のＴＶモニター画像を医師が観察し診断した結果に基づいた医用レポートの作成を支援をするとともに、ここで作成された医用レポートを保存する。
【００１５】
図２は、画像診断支援システムを構成する医用画像撮影装置２、医用画像保管装置３、医用画像観察装置４及び医用レポート作成支援システム５についてさらに詳細に説明するための図である。
【００１６】
医用画像撮影装置２は、医用画像撮影ユニットとしてのＸ線ＣＴ装置２１、スキャン計画・画像発生部２２、オブジェクト情報生成部２３及びデータ送信部２４を有している。Ｘ線ＣＴ装置２１は、患者の診断部分にＸ線をスキャンさせて放射し、その透過Ｘ線量分布を検出して断層像を医用画像として発生する。スキャン計画・画像発生部２２は、同一患者について過去の検査に用いた情報を医用画像保管装置３（保管データ配信部３９）より取り込み、この情報に基づいてユーザにＸ線ＣＴ装置２１に対するスキャン計画の立案実行を指示し、このスキャン計画に基づいてＸ線ＣＴ装置２１に断層像を発生させる。オブジェクト情報生成部２３は、Ｘ線ＣＴ装置２１で取得した医用画像とともに、該医用画像に関連する患者情報、撮影情報（撮影条件、撮影範囲など）、診断部分の特徴を表すキー画像情報及び撮影時に参照した過去の検査情報などをオブジェクト情報として生成し発生する。データ送信部２４は、オブジェクト情報生成部２３より出力される医用画像及びオブジェクト情報をネットワーク１を介して医用画像保管装置３に送信する。
【００１７】
医用画像保管装置３は、データ受信部３１、受信データ分析部３２、データ登録部３３、オブジェクト情報分析部３４、オブジェクト情報・抽出情報登録部３５、データ保管部３６、データベース３７、情報収集・更新・追加部３８及び保管データ配信部３９を有している。データ受信部３１は、医用画像撮影装置２より入力される医用画像及びオブジェクト情報の受信処理を行う。受信データ分析部３２は、データ受信部３１で受信した内容がオブジェクト情報か通常のＤＩＣＯＭ（Digital Imaging and Communication in Medicine）データかを分析判断する。データ登録部３３は、受信データ分析部３２より出力されるオブジェクト情報以外の医用画像をデータベース３７に登録する。オブジェクト情報分析部３４は、受信データ分析部３２より出力されるオブジェクト情報より必要な情報を抽出する。オブジェクト情報・抽出情報登録部３５は、オブジェクト情報から抽出した情報を画像記憶ユニットとしてのデータ保管部３６とデータベース３７に適切に登録する。データ保管部３６は、データ登録部３３及びオブジェクト情報・抽出情報登録部３５より医用画像及びオブジェクト情報を受取ると、これらを適切な場所に書き込み保管する。この場合、これら医用画像及びオブジェクト情報の保管場所が決まったとき、削除されたとき、または変更になったときは、データベース３７との間で通信を行い、データベース３７の修正を行う。このデータ保管部３６は、別の場所に設けられるＨＤＤ（ハードディスク）やＮＡＳ（ネットワーク接続ストレージ）のようなものであってもよい。データベース３７は、情報テーブル記憶ユニットとしての情報テーブル３７１を有している。この情報テーブル３７１は、各症例名に対応させて、オブジェクト情報から抽出される患者ごとの症例関連情報及び医用画像の関連情報（検索情報や撮影情報）などを管理する。なお、情報テーブル記憶ユニットの情報テーブル３７１は、上述の画像記憶ユニット（データ保管部３６）と同じ記憶ユニットであってもよい。
【００１８】
図３は、情報テーブル３７１の一例を示すもので、症例名欄ａ、状態（進行具合）欄ｂ、症例関連情報欄ｃ、レポート情報欄ｄ、キー画像欄ｅ及び撮影範囲情報欄ｆなどの項目を有している。ここで、病状名欄ａには、「結核」「胃潰瘍」などの症例名が書き込まれ、状態（進行具合）欄ｂには、各症例ごとに「かなり進行している」「あまり進行していない」などの各状態（進行具合）が書き込まれる。また、病状関連情報欄ｃには、各症例名ごとの状態（進行具合）「かなり進行している」に対応させて患者情報として「年齢」「性別」「ステージ」「入院期間」…などが書き込まれ、同様に、「あまり進行していない」にも対応させて患者情報として「年齢」「性別」「ステージ」「入院期間」…などが書き込まれる。レポート情報欄ｄには、各症例名の各状態（進行具合）ごとに、後述するレポートデータベース５３に書き込まれた関連レポートを検索、表示するためのレポートＵＩＤ（個別識別情報）が書き込まれる。また、キー画像ｅには、各症例名の各状態（進行具合）ごとに、医用画像の検索情報としてオブジェクト情報より取得されるキー画像情報（画像の所在地（ファイルパスやＵＩＤ（個別識別情報）など）が書き込まれ、同様に、撮影範囲情報欄ｆには、各症例名の各状態（進行具合）ごとにオブジェクト情報より取得される医用画像の撮影情報（画像にかかる座標情報と範囲の大きさなど）が書き込まれる。ここで、病状関連情報欄ｃに書き込まれる病状関連情報は、データ保管部３６やデータベース３７の他に、ネットワークを介して不図示の病院情報システムからも集められる。
【００１９】
情報収集・更新・追加部３８は、後述するカンファレンス機能部６への情報の提供、カンファレンス時のフィードバック情報によりデータ保管部３６及びデータベース３７（情報テーブル３７１）の更新、追加などの変更を行う。保管データ配信部３９は、外部からの要求に応じて、データ保管部３６及びデータベース３７より要求に対応する情報（医用画像、オブジェクト情報など）を読み出して要求元に配信する（この場合、医用画像については、データ保管部３６と要求元が直接やり取りいることもある。）。
【００２０】
医用画像観察装置４は、ＴＶモニタなどの画像表示部４１を有し、医用レポート作成支援システム５は、レポート作成・画像表示指示部５１、レポート情報収集部５２、レポートデータベース５３、今回レポート作成・表示部５４を有している。画像表示部４１は、レポート情報収集部５２に収集された情報により観察用画像を表示する。レポート作成・画像表示指示部５１は、指定検査のレポート作成準備と画像表示を指示する。レポート情報収集部５２は、レポート作成に必要な関連情報をレポートデータベース５３から収集するとともに、画像表示のための情報をデータ保管部３６やデータベース３７から収集する。また、作成済みのレポート情報(診断結果など)をレポートデータベース５３に格納するとともに、保管データ配信部３９を介してデータ保管部３６に送信する。レポートデータベース５３は、レポート作成に必要な関連情報及び作成済みのレポート情報を格納する。今回レポート作成・表示部５４は、レポート情報収集部５２に収集された情報に基づいて観察画像をレポート作成準備画面とともに表示させるとともに、レポート作成支援により医用レポートを作成する。また、作成した今回の医用レポートをレポート情報収集部５２に返送する。
【００２１】
一方、医用画像保管装置３には、カンファレンス機能部６が設けられている。このカンファレンス機能部６は、カンファレンス表示指示部６１、カンファレンス情報収集部６２、カンファレンス情報表示・フィードバック部６３を有している。カンファレンス表示指示部６１は、ユーザの要求に応じて、例えば症例名に対応するカンファレンス表示などを指示する。カンファレンス情報収集部６２は、カンファレンスに関連する情報を収集する。この場合、カンファレンス情報収集部６２は、データ保管部３６、データベース３７（情報テーブル３７１）、レポートデータベース５３などからカンファレンスの関連情報を読み出して収集する。
【００２２】
カンファレンス情報表示・フィードバック部６３は、カンファレンス情報収集部６２で収集された情報を不図示の表示ユニット、例えばＴＶモニタに表示させるとともに、この表示された情報に基づいたカンファレンスの結果(読影結果、撮影条件の修正、症例に対する評価など)の入力（ユーザが行う）を待って、この入力情報を情報収集・更新・追加部３８にフィードバックし情報テーブル３７１の内容の更新、追加などを行う（図１１及び図１２は、変更された情報テーブル３７１の一例を示している。）。この場合、カンファレンス情報表示・フィードバック部６３は、表示ユニットを外部に設けるようにしてもよい。
【００２３】
次に、このように構成された実施の形態の作用を説明する。
【００２４】
まず、医用画像撮影装置２において、Ｘ線ＣＴ装置２１により患者の診断部分の断層像を撮影すると、医用画像とともに、この医用画像に関連する患者情報、撮影情報（撮影条件、撮影範囲など）、診断部分の特徴を表すキー画像情報及び参照した過去の検査情報などがオブジェクト情報としてオブジェクト情報生成部２３で生成され、ネットワーク１を介して医用画像保管装置３に送られる。
【００２５】
医用画像保管装置３では、データ登録部３３により医用画像をデータベース３７に登録し、オブジェクト情報・抽出情報登録部３５により抽出されたオブジェクト情報のうちの必要な情報をデータ保管部３６とデータベース３７（情報テーブル３７１）に登録する。  その後、医用レポート作成支援システム５のレポート作成・画像表示指示部５１によりレポート作成準備と画像表示を指示すると、レポート情報収集部５２により、レポート作成に必要な関連情報がレポートデータベース５３より収集されるとともに、観察画像表示に必要な情報がデータ保管部３６及びデータベース３７から収集される。これら収集された情報は、観察画像としてレポート作成準備画面とともに画像表示部４１に表示される。そして、画像表示部４１の画面上で、医師の診断結果を踏まえレポート作成支援により医用レポートが作成され、この作成された医用レポートがレポートデータベース５３に格納される。
【００２６】
次に、カンファレンスを実行する場合、図４に示すフローチャートが実行される。
【００２７】
まず、所定の操作に応答して、医用画像保管装置３の表示部に例えば図５に示すようなカンファレンス情報取得画面が表示される。表示された取得画面において、例えば関連情報検索ボタンをクリックすることで、図６に示すような検索条件入力ウィンドウを開くことができる。同検索条件入力ウィンドウにおいて、例えば担当医師「東芝一郎」のタイトル「テスト２」をクリックすることで、「症例名」、「ステージ」、「入院期間」、「性別」、「年齢」等の各種条件項目について、同テスト２に関する条件内容を自動的に入力することができる。入力後、「OK」ボタンをクリックすることで、ユーザからのカンファレンス表示指示が入力される。カンファレンス表示指示部６１は、ユーザのからの指示に応答して、カンファレンス情報収集部６２にカンファレンス表示の指示を出力する（ステップ６０１）。
【００２８】
なお、検索条件入力ウィンドウに表示される検索条件は、図６の例に拘泥されず、設定により各種条件を増設したり、削減したりすることができる。また、図７に示すように、所望する検索条件項目（図７の例では「入院期間」）を選択し、手動で条件内容を入力することも可能である。
【００２９】
次に、カンファレンス情報収集部６２は、カンファレンス表示の指示に応答して、入力された検索条件に合致するカンファレンス表示の関連情報を、データ保管部３６、データベース３７（情報テーブル３７１）及びレポートデータベース５３から収集する（ステップＳ６０２）。今の場合、情報テーブル３７１は、図３に示すように症例名欄ａ、状態（進行具合）欄ｂ、症例関連情報欄ｃ、レポート情報欄ｄ、キー画像欄ｅ及び撮影範囲情報欄ｆの各項目を有しており、指定された症例名欄ａの症例名に対応する状態（進行具合）欄ｂ、症例関連情報欄ｃ、レポート情報欄ｄ、キー画像欄ｅ及び撮影範囲情報欄ｆの各情報がカンファレンス表示の関連情報として集められる。
【００３０】
次に、カンファレンス情報収集部６２は、カンファレンス表示の関連情報が収集できたか、つまり、収集された情報が指定された症例名に対応するカンファレンス表示の関連情報であるか判断する（ステップ６０３）。ここで、仮にＮＯと判断された場合は、カンファレンス情報表示・フィードバック部６３は、カンファレンス情報収集部６２で収集された情報を不図示のＴＶモニタなどに表示する（ステップＳ６０４）。
【００３１】
一方、ステップ６０３でＹＥＳと判断された場合は、カンファレンス情報表示・フィードバック部６３は、カンファレンス情報表示・フィードバック部６３によりＴＶモニタにカンファレンス関連情報の表示を行う（ステップ６０５）。すなわち、カンファレンス情報表示・フィードバック部６３は、カンファレンス情報収集部６２で収集された情報を例えば図８に示すように画面左側に一覧表示する。また、カンファレンス情報表示・フィードバック部６３は、一覧表示されたカンファレンス関連情報のうち、例えば図９に示すようにユーザがドラッグアンドドロップ操作によって選択した情報を、カンファレンス関連情報として所定の形態で表示する。この用に表示部に表示されたカンファレンス関連情報を参照しながら、例えば複数の医師によりカンファレンスが行われる。
【００３２】
次に、入力部を介して、表示されたカンファレンス関連情報に関するフィードバック指数が入力される（ステップ６０６）。ここで、フィードバック指数とは、将来のカンファレンスにおいて参考とするために、カンファレンス関連情報としてフィードバックさせる度合いを示す値や情報である。このフィードバック指数は、例えば各項目毎に、入力装置を介してユーザによって入力される。
【００３３】
図１０は、図９に示されたカンファレンス関連情報について入力されたフィードバック指数の一例を示した図である。同図においては、将来カンファレンス関連情報として必ず参考とする場合のフィードバック指数を１００％として、「症例」、「状態」、「レポート情報」、「部位」の各項目についての評価値が、「キー画像」については、修正の有無がフィードバック指数として入力されている。
【００３４】
なお、フィードバック指数は、図１０の例に拘泥されない。例えば、「Ａ、Ｂ、Ｃ」といったランク付けや、「典型、非典型」といった症例の特性等を示すものであってもよい。
【００３５】
次に、カンファレンス情報表示・フィードバック部６３は、入力された各項目毎のフィードバック指数、読影結果、撮影条件の修正、症例に対する評価等を含むカンファレンスの結果を情報収集・更新・追加部３８に送信する。情報収集・更新・追加部３８は、受信したカンファレンスの結果に基づいてデータ保管部３６、データベース３７（情報テーブル３７１）の内容を更新、追加などの変更することで、カンファレンス結果のフィードバックを実行する（ステップ６０７）。
【００３６】
図１１は、変更された情報テーブル３７１の一例を示すもので、この場合、症例名欄ａ、状態（進行具合）欄ｂ、症例関連情報欄ｃ、レポート情報欄ｄ、キー画像欄ｅ、撮影範囲情報欄ｆの各項目名に、さらに評価欄ｇの項目が追加されている。この評価欄ｇは、症例名欄ａ、状態（進行具合）欄ｂ、症例関連情報欄ｃ、レポート情報欄ｄ、キー画像欄ｅ及び撮影範囲情報欄ｆの各項目の内容に対し、カンファレンスの結果に基づく評価を書き加えたものである。
【００３７】
次に、再びカンファレンスが実行され、上述したと同様にユーザの要求に応じて、症例名に対応するカンファレンス表示の指示が出力されると、図４に示すフローチャートが実行され、カンファレンス表示の関連情報が収集される。この場合、カンファレンス表示の関連情報は、図１１に示す変更後の情報テーブル３７１の内容に基づいて収集され、ここで収集されたカンファレンス表示の関連情報がＴＶモニタなどに表示される。そして、ＴＶモニタに表示された情報を参照しながら、医師によりカンファレンスが行われ、このカンファレンスの結果がカンファレンス情報表示・フィードバック部６３より情報収集・更新・追加部３８にフィードバックされる。これにより、情報収集・更新・追加部３８によりデータ保管部３６、データベース３７（情報テーブル３７１）の内容がさらに変更される。
【００３８】
図１２は、変更後の情報テーブル３７１の一例を示すもので、この場合、症例名欄ａ、状態（進行具合）欄ｂ、症例関連情報欄ｃ、レポート情報欄ｄ、キー画像欄ｅ、撮影範囲情報欄ｆ、評価欄ｇのうち、状態（進行具合）欄ｂに代えて目的欄ｈの項目が追加されている。この目的欄ｈには、カンファレンス結果として、各症例名ごと典型例、テーチング、特異例などの目的別分類情報が書き込まれる。
【００３９】
以下、同様にして、カンファレンスを実行すると、情報テーブル３７１の内容に基づいてカンファレンス表示の関連情報が収集され、ＴＶモニタに表示される。そして、この表示されたカンファレンス情報を参照しながらカンファレンスが行われ、このカンファレンスの結果が、カンファレンス情報表示・フィードバック部６３よりフィードバックされ、さらに情報テーブル３７１の内容が更新され、次のカンファレンス表示の関連情報の収集のために用意される。
【００４０】
したがって、このようにすれば、医用画像撮影装置２より医用画像を取得するとともに、該医用画像に関するオブジェクト情報を生成し、これら医用画像及び該医用画像に関するオブジェクト情報をデータ保管部３６及びデータベース３７に記憶するとともに、症例名に対応させてオブジェクト情報に基づいた患者ごとの症例関連情報及び医用画像の関連情報を情報テーブル３７１に記憶していて、カンファレンス指示により症例名に対応して情報テーブル３７１より患者ごとの症例関連情報、情報テーブル３７１の医用画像の関連情報により読み出される医用画像を、カンファレンス関連情報として収集し、これら収集された情報をカンファレンス表示するとともに、該表示された内容に基づいたカンファレンスの結果をカンファレンス情報表示・フィードバック部６３により情報テーブル３７１にフィードバックし、その内容を変更するようにした。これにより、過去のカンファレンスに利用されたオブジェクト情報に基づいた患者ごとの症例関連情報及び医用画像が、カンファレンスの際の参照や検討に有効に利用され、さらに、このカンファレンスにより得られた結果が情報テーブル３７１にフィードバックされ、次回のカンファレンスの際の治療方針などの判断材料として反映されるようになるので、過去のカンファレンスに利用されたオブジェクト情報や医用画像を繰り返し有効に活用することができる。また、カンファレンスの結果により変更される情報テーブル３７１に基づいて、症例名に対応する症例関連情報及び医用画像がカンファレンス表示の関連情報として収集されるので、更新される最新のカンファレンス情報に基づいて複数の医師によるカンファレンスにより患者の診断や治療計画を策定することができるので、精度の高いカンファレンスを実現できる。
【００４１】
（第２の実施形態）
次に、本発明の第２の実施形態について説明する。本実施形態では、フィードバック指数を用いたカンファレンス関連情報の検索について説明する。
【００４２】
本実施形態では、例えば図４のステップ６０１のカンファレンス表示指示において、例えば図１３に示すようなカンファレンス情報取得画面及び検索条件入力ウィンドウが表示される。この検索条件入力ウィンドウには、例えば図６、図７に示した例に比して、新たな検索条件項目である「フィードバック指数」が増設されている。ユーザは、入力部を介してフィードバック指数に関する所望の条件を指数を入力し（図１３の例では「５０％以上」と入力」、「OK」ボタンをクリックすることで、カンファレンス表示指示を行うことができる。これにより、フィードバック指数が５０％以上と設定されているカンファレンス表示の関連情報が、データ保管部３６、データベース３７（情報テーブル３７１）及びレポートデータベース５３から収集されることになる。
【００４３】
なお、図１３では、「フィードバック指数」の検索条件内容として、「５０％」以上と入力した例を示した。しかしながら、「フィードバック指数」は、当該例に拘泥されない。例えば、「症例８０％以上」といった具合に、特定の検索条件項目についてのフィードバック指数を入力するようにしてもよい。さらに、「典型」又は「非典型」といったように、数値ではなく状態や特性を示すフィードバック指数を入力するようにしてもよい。
【００４４】
上記各実施の形態には、種々の段階の発明が含まれており、開示されている複数の構成要件における適宜な組み合わせにより種々の発明が抽出できる。
【００４５】
例えば、上述した各実施の形態では、カンファレンス表示に患者を特定する情報を表示しているが、患者に関する特定情報を見せたくないことがあるが、この場合は、患者情報を非表示にできることは勿論である。その他、本発明は、上記実施の形態に限定されるものでなく、実施段階では、その要旨を変更しない範囲で種々変形することが可能である。
【００４６】
さらに、各実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【産業上の利用可能性】
【００４７】
以上本発明によれば、過去のカンファレンスに利用した医用画像又はオブジェクト情報を有効に利用してさらに精度の高いカンファレンスを実現するカンファレンス機能を有する画像診断支援システム等を実現することができる。
【図面の簡単な説明】
【００４８】
【図１】図１は、本発明の第１の実施の形態に係る画像診断支援システムの概略構成を示す図である。
【図２】図２は、第１の実施の形態に係る画像診断支援システムについてさらに詳細に説明するための図である。
【図３】図３は、第１の実施の形態に用いられるカンファレンス情報テーブルの一例を示す図である。
【図４】図４は、第１の実施の形態の動作を説明するフローチャートである。
【図５】図５は、カンファレンス情報取得画面の一例を示した図である。
【図６】図６は、検索条件入力ウィンドウの一例を示した図である。
【図７】図７は、検索条件入力ウィンドウの他の例を示した図である。
【図８】図８は、カンファレンス情報収集部６２で収集された情報の表示形態の一例を示した図である。
【図９】図９は、図８の画面において、ドラッグアンドドロップ操作によって選択された情報の表示形態の一例を示した図である。
【図１０】図１０は、図９に示されたカンファレンス関連情報について入力されたフィードバック指数の一例を示した図である。
【図１１】図１１は、変更後のカンファレンス情報テーブルの一例を示す図である。
【図１２】図１２は、変更後のカンファレンス情報テーブルの他の例を示す図である。
【図１３】図１３は、フィードバック指数を検索条件に含む検索条件入力ウィンドウの一例を示した図である。
【符号の説明】
【００４９】
１…ネットワーク、２…医用画像撮影装置
２１…Ｘ線ＣＴ装置、２２…スキャン計画・画像発生部
２３…オブジェクト情報生成部、２４…データ送信部
３…医用画像保管装置、３１…データ受信部
３２…受信データ分析部、３３…データ登録部
３４…オブジェクト情報分析部、３５…オブジェクト情報・抽出情報登録部
３６…データ保管部、３７…データベース、３７１…情報テーブル
３８…情報収集・更新・追加部、３９…保管データ配信部
４…医用画像観察装置、４１…画像表示部
５…医用レポート作成支援システム、５１…レポート作成・画像表示指示部
５２…レポート情報収集部、５３…レポートデータベース
５４…今回レポート作成・表示部、６…カンファレンス機能部
６１…カンファレンス表示指示部、６２…カンファレンス情報収集部
６３…カンファレンス情報表示・フィードバック部
【図１】
0005284032.tif 000002
【図２】
0005284032.tif 000003
【図３】
0005284032.tif 000004
【図４】
0005284032.tif 000005
【図５】
0005284032.tif 000006
【図６】
0005284032.tif 000007
【図７】
0005284032.tif 000008
【図８】
0005284032.tif 000009
【図９】
0005284032.tif 000010
【図１０】
0005284032.tif 000011
【図１１】
0005284032.tif 000012
【図１２】
0005284032.tif 000013
【図１３】
0005284032.tif 000014